(57)【要約】【課題】  受注される製品に適応して作成される作業指示書で、印刷処理に携わる作業者に試し印刷の要否を確実に通知する。【解決手段】    管理装置が受注する印刷注文に従い登録された製品情報に対する印刷処理を行う印刷制御装置において、前記管理装置から受注した製品に対応づけられた印刷指示情報を取得し、該取得した印刷指示情報に試し印刷を行う指示が設定されているかどうかを判断する。ここで、試し印刷を行う指示が設定されていると判断した場合、試し印刷処理を実行するための作業指示書を作成するし、該作成された作業指示書を出力する。【選択図】  図１３
2014235678.tif 000002
【特許請求の範囲】
【請求項１】
管理装置に印刷処理する製品情報を登録する印刷制御装置と、登録された製品情報を情報処理装置に提供して、当該情報処理装置から受注する印刷注文を管理して前記印刷制御装置に印刷処理を指示する印刷システムであって、
前記印刷制御装置は、
前記管理装置から受注した製品に対応づけられた印刷指示情報を取得する取得手段と、
取得した印刷指示情報に試し印刷を行う指示が設定されているかどうかを判断する判断手段と、
前記試し印刷を行う指示が設定されていると判断した場合、試し印刷処理を実行するための作業指示書を作成する作成手段と、
作成された作業指示書を出力する出力手段と、を備え、
前記管理装置は、
前記印刷制御装置から受信する製品情報を登録する登録手段と、
登録された製品情報に基づいて試し印刷の要否が設定された製品管理情報を生成する生成手段と、
登録された製品情報の一覧情報に前記情報処理装置に提供する提供手段と、
前記情報処理装置から印刷注文を受注する受注手段と、
前記印刷制御装置からの要求に従い、受注した製品を作成するための印刷指示情報を前記印刷制御装置に送信する送信手段と、
を備えることを特徴とする印刷システム。
【請求項２】
管理装置に印刷処理する製品情報を登録する印刷制御装置と、登録された製品情報を情報処理装置に提供して、当該情報処理装置から受注する印刷注文を管理して前記印刷制御装置に印刷処理を指示する印刷システムであって、
前記印刷制御装置は、
前記管理装置から受注した製品に対応づけられた印刷指示情報を取得する取得手段と、
取得した印刷指示情報に印刷設定情報が含まれているかどうかを判断する判断手段と、
前記印刷設定情報が含まれていないと判断した場合、試し印刷処理を実行するための作業指示書を作成する作成手段と、
作成された作業指示書を出力する出力手段と、を備え、
前記管理装置は、
前記印刷制御装置から受信する製品情報を登録する登録手段と、
登録された製品情報に基づいて試し印刷の要否が設定された製品管理情報を生成する生成手段と、
登録された製品情報の一覧情報に前記情報処理装置に提供する提供手段と、
前記情報処理装置から印刷注文を受注する受注手段と、
前記印刷制御装置からの要求に従い、受注した製品を作成するための印刷指示情報を前記印刷制御装置に送信する送信手段と、
を備えることを特徴とする印刷システム。
【請求項３】
管理装置に印刷処理する製品情報を登録する印刷制御装置と、登録された製品情報を情報処理装置に提供して、当該情報処理装置から受注する印刷注文を管理して前記印刷制御装置に印刷処理を指示する印刷システムであって、
前記印刷制御装置は、
前記管理装置から受注した製品に対応づけられた印刷指示情報を取得する取得手段と、
取得した印刷指示情報に含まれる印刷設定情報の印刷実績情報から試し印刷の要否を判断する判断手段と、
前記試し印刷を実行すると判断した場合、試し印刷処理を実行するための作業指示書を作成する作成手段と、
作成された作業指示書を出力する出力手段と、を備え、
前記管理装置は、
前記印刷制御装置から受信する製品情報を登録する登録手段と、
登録された製品情報に基づいて試し印刷の要否が設定された製品管理情報を生成する生成手段と、
登録された製品情報の一覧情報に前記情報処理装置に提供する提供手段と、
前記情報処理装置から印刷注文を受注する受注手段と、
前記印刷制御装置からの要求に従い、受注した製品を作成するための印刷指示情報を前記印刷制御装置に送信する送信手段と、
を備えることを特徴とする印刷システム。
【請求項４】
前記管理装置は、
前記印刷制御装置から印刷設定情報の更新通知を受け取る受取手段と、
受け取った更新通知に従い前記製品情報に対応づけられた印刷設定情報を更新する更新手段と、
を備えることを特徴とする請求項３記載の印刷システム。
【請求項５】
前記更新手段は、前記印刷設定情報に含まれる印刷精度を特定する高低レベルを高レベルに更新することを特徴とする請求項４記載の印刷システム。
【請求項６】
前記印刷指示情報は、注文情報と、印刷設定情報とから生成されることを特徴とする請求項１乃至３のいずれか１項に記載の印刷システム。
【請求項７】
前記出力手段は、試し印刷の要否を特定する項目、試し印刷の理由、確認事項を含む作業指示書を作成することを特徴とする請求項１乃至３のいずれか１項に記載の印刷システム。
【請求項８】
前記出力手段は、作業指示書を表示することを特徴とする請求項１乃至３のいずれか１項に記載の印刷システム。
【請求項９】
前記出力手段は、作業指示書を印刷することを特徴とする請求項１乃至３のいずれか１項に記載の印刷システム。
【請求項１０】
管理装置が受注する印刷注文に従い登録された製品情報に対する印刷処理を行う印刷制御装置であって、
前記管理装置から受注した製品に対応づけられた印刷指示情報を取得する取得手段と、
取得した印刷指示情報に試し印刷を行う指示が設定されているかどうかを判断する判断手段と、
前記試し印刷を行う指示が設定されていると判断した場合、試し印刷処理を実行するための作業指示書を作成する作成手段と、
作成された作業指示書を出力する出力手段と、
を備えることを特徴とする印刷制御装置。
【請求項１１】
管理装置が受注する印刷注文に従い登録された製品情報に対する印刷処理を行う印刷制御装置であって、
前記管理装置から受注した製品に対応づけられた印刷指示情報を取得する取得手段と、
取得した印刷指示情報に印刷設定情報が含まれているかどうかを判断する判断手段と、
前記印刷設定情報が含まれていないと判断した場合、試し印刷処理を実行するための作業指示書を作成する作成手段と、
作成された作業指示書を出力する出力手段と、
を備えることを特徴とする印刷制御装置。
【請求項１２】
管理装置が受注する印刷注文に従い登録された製品情報に対する印刷処理を行う印刷制御装置であって、
前記管理装置から受注した製品に対応づけられた印刷指示情報を取得する取得手段と、
取得した印刷指示情報に含まれる印刷設定情報の印刷実績情報から試し印刷の要否を判断する判断手段と、
前記試し印刷を実行すると判断した場合、試し印刷処理を実行するための作業指示書を作成する作成手段と、
作成された作業指示書を出力する出力手段と、
を備えることを特徴とする印刷制御装置。
【請求項１３】
管理装置が受注する印刷注文に従い登録された製品情報に対する印刷処理を行う印刷制御装置の制御方法であって、
前記管理装置から受注した製品に対応づけられた印刷指示情報を取得する取得手段と、
取得した印刷指示情報に試し印刷を行う指示が設定されているかどうかを判断する判断手段と、
前記試し印刷を行う指示が設定されていると判断した場合、試し印刷処理を実行するための作業指示書を作成する作成手段と、
作成された作業指示書を出力する出力手段と、
を備えることを特徴とする印刷制御装置の制御方法。
【請求項１４】
管理装置が受注する印刷注文に従い登録された製品情報に対する印刷処理を行う印刷制御装置の制御方法であって、
前記管理装置から受注した製品に対応づけられた印刷指示情報を取得する取得手段と、
取得した印刷指示情報に印刷設定情報が含まれているかどうかを判断する判断手段と、
前記印刷設定情報が含まれていないと判断した場合、試し印刷処理を実行するための作業指示書を作成する作成手段と、
作成された作業指示書を出力する出力手段と、
を備えることを特徴とする印刷制御装置の制御方法。
【請求項１５】
管理装置が受注する印刷注文に従い登録された製品情報に対する印刷処理を行う印刷制御装置の制御方法であって、
前記管理装置から受注した製品に対応づけられた印刷指示情報を取得する取得手段と、
取得した印刷指示情報に含まれる印刷設定情報の印刷実績情報から試し印刷の要否を判断する判断手段と、
前記試し印刷を実行すると判断した場合、試し印刷処理を実行するための作業指示書を作成する作成手段と、
作成された作業指示書を出力する出力手段と、
を備えることを特徴とする印刷制御装置の制御方法。
【請求項１６】
請求項１３乃至１５のいずれか１項に記載の印刷制御装置の制御方法をコンピュータに実行させることを特徴とするプログラム。
【発明の詳細な説明】
【技術分野】
【０００１】
本発明は、印刷システム、印刷制御装置、印刷制御装置の制御方法、及びプログラムに関するものである。
【背景技術】
【０００２】
プリントオンデマンド（ＰＯＤ）環境をネットワーク上に構築して、印刷注文を受注して、印刷処理サービスを実行する印刷システムが提案されている。このような印刷システムを利用して印刷物を制作する際、印刷物が所望の状態で出力されているかを確認する必要がある。具体的には印刷設定の正しさや色味について試し印刷を実施して確認すること必要とされる場合がある。
しかしながら、すべての印刷物が試し印刷を必要とされるものではなく、試し印刷の要否の判断を印刷制御装置の操作者が行うことは困難であった。以下に、試し印刷の判断に関する発明が開示されている。１部当りの出力枚数が閾値以上の場合に試し印刷が要と判断する発明がある（特許文献１）。
【先行技術文献】
【特許文献】
【０００３】
【特許文献１】特開２００８−１９８０４２号公報
【発明の概要】
【発明が解決しようとする課題】
【０００４】
しかしながら、特許文献１の技術では、出力枚数が設定された閾値未満の場合には試し印刷が行われないため、印刷注文を受注して印刷処理が完了する間において、操作者の希望通りに試し印刷が実行できない場合あった。
したがって、印刷指示書を作成する段階で適切な試し印刷要求が必要であることを印刷処理を行う操作者に認識させることができず、印刷ジョブ開始前に試し印刷要求の有無を確認することができない場合があった。また、試し印刷要求の要因も様々であるため、印刷システムで柔軟に対応できないという課題があった。
【０００５】
本発明は、上記の課題を解決するためになされたもので、本発明の目的は、印刷処理に携わる作業者に試し印刷の要否を確実に通知できる仕組みを提供することである。
さらに、本発明の目的は、管理装置で管理される製品に対応づけられた印刷設定情報の状況に適応した試し印刷指示を行う産業指示書を作成できる仕組みを提供することである。
【課題を解決するための手段】
【０００６】
上記目的を達成する本発明の印刷システムは以下に示す構成を備える。
管理装置に印刷処理する製品情報を登録する印刷制御装置と、登録された製品情報を情報処理装置に提供して、当該情報処理装置から受注する印刷注文を管理して前記印刷制御装置に印刷処理を指示する印刷システムであって、前記印刷制御装置は、前記管理装置から受注した製品に対応づけられた印刷指示情報を取得する取得手段と、取得した印刷指示情報に試し印刷を行う指示が設定されているかどうかを判断する判断手段と、前記試し印刷を行う指示が設定されていると判断した場合、試し印刷処理を実行するための作業指示書を作成する作成手段と、作成された作業指示書を出力する出力手段と、を備え、前記管理装置は、前記印刷制御装置から受信する製品情報を登録する登録手段と、登録された製品情報に基づいて試し印刷の要否が設定された製品管理情報を生成する生成手段と、登録された製品情報の一覧情報に前記情報処理装置に提供する提供手段と、前記情報処理装置から印刷注文を受注する受注手段と、前記印刷制御装置からの要求に従い、受注した製品を作成するための印刷指示情報を前記印刷制御装置に送信する送信手段と、を備えることを特徴とする。
【発明の効果】
【０００７】
本発明によれば、受注される製品に適応して作成される作業指示書で、印刷処理に携わる作業者に試し印刷の要否を確実に通知できる。
また、管理装置で管理される製品に対応づけられた印刷設定情報の状況に適応した試し印刷指示を行う産業指示書を作成できる。
【図面の簡単な説明】
【０００８】
【図１】印刷受注システムの全体システム構成を説明するブロック図である。
【図２】図１に示した計算機，各サーバの構成を説明するブロック図である。
【図３】図１に示した印刷受注システムの論理構成を説明するブロック図である。
【図４】印刷受注システムの処理フローを示す図である。
【図５】図１に示した印刷会社が管理する印刷会社管理テーブルの一例を示す図である。
【図６】用紙情報管理テーブルの一例を示す図である。
【図７】ジョブチケットのテンプレートを示す図である。
【図８】作業指示書テンプレートの一例を示す図である。
【図９】印刷受注システムにおける管理テーブルの一例を示す図である。
【図１０】印刷受注システムにおける印刷物のデータモデルの例を示す図である。
【図１１】印刷受注システムにおける管理テーブルの一例を示す図である。
【図１２】印刷受注システムにおける管理テーブルの一例を示す図である。
【図１３】印刷受注システムのシーケンス例を示す図である。
【図１４】製品一覧画面の一例を示す図である。
【図１５】注文一覧画面の一例を示す図である。
【図１６】注文情報管理テーブルの一例を示す図である。
【図１７】プリントチケット作成の流れを示す図である。
【図１８】製品に対する作業指示書の例を示す図である。
【図１９】印刷受注システムの構成を説明するブロック図である。
【図２０】注文詳細画面の一例を示す図である。
【図２１】印刷受注システムの構成を説明するブロック図である。
【図２２】印刷受注システムの構成を説明するブロック図である。
【図２３】印刷受注システムの試し印刷処理例を説明するフローチャートである。
【図２４】印刷受注システムの構成を説明するブロック図である。
【図２５】試し印刷要否判断テーブルの一例を示す図である。
【図２６】印刷制御装置の制御方法を説明するフローチャートである。
【発明を実施するための形態】
【０００９】
以下、添付の図面を参照して、本発明の好適な実施形態に基づいて詳細に説明する。なお、以下の実施形態において示す構成は一例に過ぎず、本発明は図示された構成に限定されるものではない。
＜印刷受注システムの全体システム構成＞
〔第１実施形態〕
図１は、本実施形態を示す印刷受注システムの全体システム構成を説明するブロック図である。本例に示す印刷受注システムは、インターネット４を介して発注者環境１と印刷受注サービスサイト２と印刷会社３が通信可能に接続されている。なお、図１に示すシステムは本実施形態および各実施形態にも対応しており、計算機１１とは発注者環境の情報処理装置に対応し、印刷受注サーバ２２が管理装置に対応し、計算機３１が印刷制御装置に対応している。以下、管理装置に印刷処理する製品情報を登録する印刷制御装置と、登録された製品情報を情報処理装置に提供して、当該情報処理装置から受注する印刷注文を管理して印刷制御装置に印刷処理を指示する印刷システムによる印刷制御例を詳述する。
【００１０】
図１において、発注者環境１は、顧客が印刷物の印刷を発注する環境であり、発注者が印刷注文を行う計算機１１を含む。印刷受注サービスサイト２は、本印刷受注システムが稼働するサイトであり、発注者の認証、発注者が発注できる印刷物の一覧の提示、発注者からの注文の受け付けなど発注者からの要求に応答する印刷受注サーバ２２を含む。印刷受注サーバ２２は、印刷に係る情報や注文情報の管理および印刷会社からの該情報の要求へも応答する。印刷受注サービスサイト２は、印刷に係る情報及び注文に関する情報を保持するためのデータベースサーバ２３、印刷に係るファイルを保持するためのファイルサーバ２４を含む。
【００１１】
印刷会社３は、発注者からの印刷注文を受けて印刷物を製造し、発注者に印刷物を発送する。印刷会社３は、印刷会社の作業者が印刷注文に係る情報の取得、送信や印刷機や加工機の制御などに利用する計算機３１を含む。この計算機は、試し印刷の制御を行う印刷制御装置である。さらに印刷会社３は、印刷に係るファイルを保持するためのファイルサーバ３２、印刷に利用する印刷機３３、印刷物の加工に利用する加工機３４を含む。
【００１２】
＜計算機・サーバ類のハードウェア構成＞
図２は、図１に示した計算機１１，各サーバの構成を説明するブロック図である。
図２において、中央演算処理装置（ＣＰＵ：Ｃｅｎｔｒａｌ  Ｐｒｏｃｅｓｓｉｎｇ  Ｕｎｉｔ）２０１は、後述の記憶装置２０６上に格納された計算機プログラムを読み込み、解釈、実行する。そして、ＣＰＵ２０１は、後述のバス２０９を介してバスに接続された後述のＲＡＭ２０３やディスプレイ２０４などを制御する。読み出し専用メモリ（ＲＯＭ：Ｒｅａｄ  Ｏｎｌｙ  Ｍｅｍｏｒｙ）２０２は、バスに接続されたハードウェアとの低レベルでの入出力制御を行う。
【００１３】
ランダムアクセスメモリ（ＲＡＭ：Ｒａｎｄｏｍ  Ａｃｃｅｓｓ  Ｍｅｍｏｒｙ）２０３は、ＣＰＵ２０１が演算する際の情報を一時的に記憶し、ディスプレイ２０４は、ＣＰＵによる計算結果を表示する。キーボード２０５は、ユーザからの入力を受け付け、記憶装置２０６は、計算に利用するプログラムやデータを格納する。ネットワークＩ／Ｆ（Ｉ／Ｆ：インターフェイス）２０７は、ローカルネットワークやイントラネット、インターネットなどのネットワークに接続する。
【００１４】
マウスやトラックボールなどのポインティングデバイス２０８は、ユーザが画面上で指定した座標を受け付け、バス２０９は、ＣＰＵ２０１、ポインティングデバイス２０８等が接続された信号線である。計算機およびサーバ類の詳細については本発明においては主たる要件ではないので、詳細な説明は省略する。
＜印刷受注システムの論理構成＞
図３は、図１に示した印刷受注システムの論理構成を説明するブロック図である。
【００１５】
図３において、発注者環境の計算機で動作するプログラム３０１は、印刷注文を受け付ける注文情報入力部３０４と注文情報入力部３０４で受けた注文情報に基づき発注を行う発注部３０５を含む。
【００１６】
印刷受注サービスサイトの各種サーバで動作するプログラム３０２は、顧客管理部３０７から注文管理部３１６で構成される管理部３０６を含む。管理部３０６は、顧客情報、用紙情報、デバイス情報、印刷設定、印刷工程、加工工程、製品仕様、製品など印刷に係る情報に関わる情報を管理する。さらに、管理部３０６は、印刷会社情報、印刷ジョブチケットテンプレート、プリントチケットテンプレート、加工ジョブチケットテンプレート、作業指示書テンプレート、および、注文情報も管理する。
【００１７】
ここで、印刷ジョブチケットテンプレートは、印刷物を製造するための作業や印刷物の仕様などを記述した雛形ファイルである。プリントチケットテンプレートは、所望の印刷物を印刷するために印刷機に設定すべき設定を記述した雛形ファイルである。加工ジョブチケットテンプレートは、所望の加工を行うために加工機に設定すべき設定を記述した雛形ファイルである。作業指示書テンプレートは、印刷物を製造するための作業や印刷物の仕様、配送先の項目などを記述した雛形ファイルである。
３０７は顧客管理部で、印刷受注システムを利用する顧客のＩＤやパスワードなどの顧客に関する情報（顧客情報）およびＩＤとパスワードに基づく認証を行う。
【００１８】
３０８は用紙管理部で、印刷会社が管理する用紙の名称、ＩＤ、サイズ、紙質、紙色、基準単価、メーカー名、紙厚、紙目、連量、坪量などの用紙に関する情報（用紙情報）を管理する。ここで、紙目とは、紙の繊維の配向のことであり、縦目あるいは横目などがある。連量とは、所定のサイズに仕上げられた用紙１０００枚当たりの重量のことである。坪量とは、１ｍ２当たりの用紙の重量のことである。
【００１９】
３０９はデバイス管理部で、印刷会社が管理する印刷機や加工機などの印刷に用いるデバイスの名称、ＩＤ、メーカー、デジタル印刷機か否かを管理する。さらに、印刷面（片面印刷あるいは両面印刷）、印刷時の用紙の向き、印刷色、仕上りサイズ、対応用紙などのデバイスに関する情報（デバイス情報）も管理する。
【００２０】
３１０はチケット管理部で、印刷ジョブチケットテンプレート、プリントチケットテンプレート、加工ジョブチケットテンプレートなどのテンプレートを管理する。チケット管理部３１０は、印刷や加工時に利用する印刷ジョブチケット、プリントチケット、加工ジョブチケットなどのチケットの管理も行う。
【００２１】
３１１は印刷設定管理部で、印刷物の仕上りサイズ、綴じ方、印刷面、用紙の向き、印刷色、印刷するときに選択すべき用紙トレイ、用紙トレイにセットする用紙のサイズなどの印刷物を印刷する際の設定（印刷設定）に関する情報を管理する。
【００２２】
３１２は印刷工程管理部で、印刷に用いる印刷機の名称、印刷ジョブチケットに対応するか否か、印刷ジョブチケットに対応する場合その印刷ジョブチケット名などの印刷工程に関する情報を管理する。さらに、当該印刷工程を構成する部材（印刷物を構成する用紙などの部分品）の数、部材の名称、サイズなども管理する。
３１３は加工工程管理部で、当該加工工程の名称、ＩＤ、加工区分、加工仕上りサイズ、加工標準単価などの加工工程に関する情報を管理する。
【００２３】
３１４は製品仕様管理部で、当該製品仕様の名称、ＩＤ、カテゴリ（チラシ、冊子、カタログなど）、当該製品仕様を印刷受注システム上で利用できるように有効にするか否か、基準単価、当該製品仕様を構成する印刷工程および加工工程を管理する。製品仕様によっては、印刷工程あるいは加工工程のいずれかしか持たない場合もある。例えば、加工を伴わない１枚からなるチラシの場合には印刷工程しか持たない。
３１５は製品管理部で、当該製品の名称、ＩＤ、当該製品を構成する製品仕様、当該製品の試し印刷要否などの製品に関する情報を管理する。３１６は注文管理部で、発注者から発注された注文の名称、ＩＤ、注文日時、価格、注文に関連する製品や印刷データなどの注文に関する情報を管理する。
入力部３１８は、印刷会社からのデータの入力を受け付け、検索部３１９は、データ保持部３２５に格納される用紙情報、デバイス情報などの印刷に係る情報から所望の情報を検索する。
【００２４】
提供部３２０は、製品仕様を構成する印刷工程と加工工程を工程順に配置し、関連する工程を連結し、製品仕様の構成を後述の情報表示部３２９を介して印刷会社の作業者が視覚的に確認できるよう情報を加工し提供する。料金算出部３２１は、製品仕様および部数などの注文に係る情報に基づき印刷料金を算出し、受注部３２２は、発注者からの注文を受け付ける。
生成部３２３は、前記受注部で受けた注文および前記管理部で管理する各種情報に基づき、印刷ジョブチケット、プリントチケット、作業指示書などの印刷物の製造方法に関する情報を生成する。
【００２５】
出力部３２４は、生成部３２３で生成した情報を印刷会社からの要求に従い出力する。データ保持部３２５は、管理部３０６で利用する顧客、用紙、デバイス、チケット、印刷設定、印刷工程、加工工程、製品仕様、製品、注文、印刷データなどの各種情報を保持する。バッファメモリ３２６は、計算途中の値を一時的に保持しておく。
印刷会社の計算機で動作するプログラム３０３は、以下の機能を提供する。
【００２６】
指示入力部３２７は、印刷会社の作業者からの入力を受け付け、情報処理部３２８は、前記指示入力部からの入力に従い印刷受注システムや印刷機あるいは加工機との情報の授受ならびに処理を行う。試し印刷の要否判断は、情報処理部３２８で行われる。
【００２７】
情報表示部３２９は、前記情報処理部で処理した情報を表示装置に表示する。また、情報表示部３２９は、前記情報処理部３２８で得た試し印刷要否判断の結果に基づき試し印刷が要の場合、試し印刷を選択指示可能にする試し印刷指示選択表示すなわち試し印刷の選択肢を表示装置へ表示する。
【００２８】
データ保持部３３０は、印刷物の制作作業の際に用いる印刷ジョブチケットや印刷データなどのデータを一時的に保持し、印刷部３３１は、前記情報処理部で指示された印刷データを印刷機で印刷する。
加工部３３２は、前記情報処理部で指示された部材を加工する。
＜印刷の全体の流れ＞
図４は、本実施形態を示す印刷受注システムの処理フローを示す図である。以下、印刷用いて印刷の初期設定から印刷物の発送までの全体的な業務の流れについて概要を説明する。
Ｓ１０１において、印刷会社３の作業者は、印刷に用いる用紙やデバイス、印刷物の印刷仕様などの初期設定すべき情報を印刷受注システムのデータ保持部３２５に登録する。
Ｓ１０２において、印刷会社３の作業者は、販売可能な製品を印刷受注システムに登録する。Ｓ１０３において、発注者は、発注者環境の計算機１１を使って印刷受注システムにアクセスし、Ｓ１０２でデータ保持部３２５に登録された製品に対して発注を行う。Ｓ１０４において、印刷受注システムは、発注者からの注文を受け付け、注文があったことを印刷会社に通知する。
Ｓ１０５において、印刷会社３の作業者は、注文に対応する印刷物を製造するための関連ファイルを印刷受注システムから取得する。その際、必要な場合は試し印刷向けの情報を取得する。
Ｓ１０６において、印刷会社３の作業者は、関連ファイルに基づいて印刷データを印刷機３３に投入し、印刷物の印刷・加工を行う。その際、必要な場合は試し印刷を行う。印刷完了後、その旨を印刷受注システムに通知する。Ｓ１０７において、印刷会社３の作業者は、印刷・加工された印刷物を発注者に発送する。以上のような流れで、発注された印刷物が発注者に届けられる。
＜初期設定＞
【００２９】
次に、Ｓ１０１における処理について説明する。情報処理部３２８は、作業者からの入力を管理部３０６に送信し、管理部３０６は受信した情報をデータ保持部３２５に格納する。以下に、印刷受注システムによりデータ保持部３２５に登録される情報について説明する。尚、以下に説明する情報は、グラフィカルな画面を介して登録するようにしても良いし、情報を記述したテキストデータを印刷受注システムに送信するようにしても良く、どのような登録方法であっても構わない。初期設定で登録される情報は印刷会社情報、顧客情報、用紙情報、デバイス情報、印刷ジョブチケットテンプレート、プリントチケットテンプレート、加工ジョブチケットテンプレート、印刷設定、印刷工程、加工工程、製品仕様である。以下に各情報について説明する。
【００３０】
＜印刷会社情報＞
図５は、図１に示した印刷会社３が管理するテーブルの一例を示す図である。なお、図５の（ａ）には、印刷受注サービスに加入している印刷会社に関する情報を管理する印刷会社管理テーブルを示す。本テーブルには、印刷会社を識別するための印刷会社ＩＤ、印刷会社の名称を表す印刷会社名、印刷会社の連絡先と所在地、所有するデバイス数。各デバイスを識別するためのデバイスＩＤ等の要素を格納する。このデバイスＩＤは、後述するデバイス情報管理テーブルを登録する際にデバイス管理部３０９によって採番されるＩＤである。
＜顧客情報＞
図５の（ｂ）には、印刷受注サービスを利用している顧客に関する情報を管理する顧客情報管理テーブルを示す。本テーブルには、顧客を識別するための顧客ＩＤ、顧客の氏名あるいは団体名を表す顧客名、連絡先、印刷物を発送する先である発送先、過去に印刷受注サービスを介して印刷物を発注した回数（発注回数）等の各要素が格納される。
【００３１】
＜用紙情報＞
図６は、図１に示した印刷会社が利用する用紙に関する情報を管理する用紙情報管理テーブルの一例を示す図である。図６の（ａ）には、印刷会社３が利用する用紙に関する情報を管理する用紙情報管理テーブルを示す。本テーブルには用紙を識別するための用紙ＩＤ、用紙の名称を表す用紙名、印刷受注システムで利用できるようにするか否かを表す有効フラグが格納される。ここで、用紙ＩＤとは、印刷受注システムに用紙を登録する際に用紙管理部３０８によって採番されるＩＤである。また、有効フラグが有効の場合には「１」を設定し、無効の場合には「０」を設定する。以下、フラグは「１」が有効、「０」が無効を示すものとする。
さらに、本テーブルには、用紙のサイズを表す用紙サイズ。用紙の単価を表す基準単価。用紙の特性を表す紙質、紙色、メーカー名、紙厚、紙目、連量、坪量の要素が格納される。
【００３２】
＜デバイス情報＞
図６の（ｂ）には、印刷会社が利用するデバイスに関するデバイス情報を管理するデバイス情報管理テーブルには、デバイスを識別するためのデバイスＩＤ、デバイスの名称を表すデバイス名、デバイスのメーカー名、印刷受注システムで利用できるようにするか否かを表す有効フラグ、当該デバイスがデジタル印刷機であるか否かを表すデジタル印刷機フラグが格納される。ここで、デバイスＩＤは、印刷受注システムにデバイスを登録する際にデバイス管理部３０９によって採番されるＩＤである。さらに、当該テーブルにはデバイスの説明および当該デバイスに設定できる印刷設定の項目であって、項目の数を表す印刷設定項目数と詳細な設定項目が格納される。
【００３３】
また、設定項目には、設定項目を識別するための設定項目ＩＤ、設定項目の分類を表す分類、設定項目名、設定形式、設定形式項目、印刷ジョブチケットへ項目を追加するか否かを表す印刷ジョブチケット欄、印刷設定への項目を追加するか否かを表す印刷設定欄で構成される。
また、上記テーブルには、対応用紙には、デバイスが対応する用紙の種類数を表す用紙種、各用紙のＩＤを表す用紙ＩＤが格納される。ここで、用紙ＩＤは用紙情報管理テーブルが管理する用紙ＩＤである。
＜印刷ジョブチケットテンプレート＞
【００３４】
図７は、本実施形態を示す印刷受注システムにおいて使用するジョブチケットのテンプレートを示す図である。図７の（ａ）には、印刷ジョブチケットテンプレートの例を示す。
本実施形態において、印刷ジョブチケットテンプレートはＸＭＬ形式で記述され、印刷物を製造するための設定項目が記載されている。設定項目に対する値は記述されていない項目が存在し、登録される時点では、雛形としての情報しか持たない。印刷仕様が確定した際に部数以外の値が確定し、発注者によって発注された後に、部数が確定する。
それらの値は生成部３２３により追記され、印刷ジョブチケットが完成する。尚、ＸＭＬとは、標準化団体Ｗｏｒｌｄ  Ｗｉｄｅ  Ｗｅｂ  Ｃｏｎｓｏｒｔｉｕｍにより策定された汎用的なマークアップ言語であり、Ｅｘｔｅｎｓｉｂｌｅ  Ｍａｒｋｕｐ  Ｌａｎｇｕａｇｅの略称である。
図７の（ａ）に示す例では、ジョブのタイプが印刷、綴じ方がくるみ製本であることを表す。
＜プリントチケットテンプレート＞
【００３５】
図７の（ｂ）には、プリントチケットテンプレートを示し、当該プリントチケットテンプレートも印刷ジョブチケットテンプレート同様ＸＭＬ形式で記述される。記述される内容は、印刷物を印刷するための設定項目である。印刷ジョブチケット同様、設定項目に対する値は記述されていない項目が存在し、登録される時点では、雛形としての情報しか持たない。印刷設定を行った際に部数以外の値が決定し、発注者によって発注された後に、部数が確定する。それらの値は生成部３２３により追記され、プリントチケットが完成する。
なお、図７（ｂ）にプリントチケットテンプレートの例では、用紙ＩＤ、印刷面、用紙の向きがそれぞれ未定であることを表す。
＜加工ジョブチケットテンプレート＞
【００３６】
図７の（ｃ）には、加工ジョブチケットテンプレートを示し、加工ジョブチケットテンプレートも印刷ジョブチケットテンプレート同様にＸＭＬ形式で記述される。記述される内容は、印刷物を加工する際の加工方法に関する情報である。図７の（ｃ）に加工ジョブチケットテンプレートの例を示す。図７の（ｃ）に示す例では、加工工程名がくるみ製本で、加工前の用紙サイズの幅、および、加工後の用紙サイズの幅がそれぞれ未定であることを表す。
【００３７】
＜作業指示書テンプレート＞
図８に一例を示す作業指示書テンプレートは、印刷物を製造するための情報および発注者に発送するための情報などを入力するための雛形である。作業指示書テンプレートは、具体的には、注文情報、製品、製品仕様、印刷工程、加工工程、印刷設定、顧客ＩＤ、発送先などの情報を含む。
また、試し印刷に関する情報を備えている。各情報が持つ要素と作業指示書テンプレートが持つ要素の対応表を参照することで、各情報が持つ要素を作業指示書テンプレートの対応する要素に反映することができる。
図８に示す作業指示書テンプレートは、試し印刷の要否を設定するための印刷項目であと、印刷仕様と発注者情報に関する情報を入力する項目を備える。ここで、印刷仕様としては、製品仕様名、印刷工程名、部材数、印刷設定名、用紙名、加工工程名、加工機名などの項目を備える。発注者情報としては、発送先や連絡先などの項目を備える。
【００３８】
＜プリントチケット＞
図９は、本実施形態を示す印刷受注システムで使用する管理テーブルの一例を示す図である。図９の（ａ）には、前記プリントチケットテンプレートを管理するプリントチケット管理テーブルを示す。本プリントチケット管理テーブルは以下の要素を格納する。なお、本実施形態に示す管理装置は、プリントチケットの情報を参照して印刷制御装置が試し印刷処理を実行することに応じて更新通知を受け取る。そして、管理装置は、当該更新通知に応じて管理するプリントチケット管理テーブル上の印刷実績情報にふくまれる印刷精度を特定する高低レベル（図示しない）を高レベルとするように更新する構成となっている。
プリントチケットテンプレートを識別するためのプリントチケットＩＤを格納する。ここで、プリントチケットＩＤは、印刷受注システムでプリントチケットを作成（印刷設定）する際にチケット管理部３１０によって採番される。また、上記テーブルには、プリントチケットテンプレートの名称を表すプリントチケット名、印刷受注システムで利用できるようにするか否かを表す有効フラグ、プリントチケットのファイル名を表すプリントチケットファイル名が格納される。さらに、同テーブルには、プリントチケットの作成日を表すプリントチケット作成日、プリントチケットを使用した最新の印刷実績日を表す印刷実績日が格納される。なお、図９の（ｂ）については後述する。
【００３９】
＜印刷物のデータモデル＞
図１０は、本実施形態を示す印刷受注システムにおける印刷物のデータモデルの例を示す図である。
図１０の（ａ）には、Ａ４カラー冊子、図１０の（ｂ）は４号カラー名刺のデータモデルをそれぞれ表す。以下、図１０の（ａ）を用いて、本実施形態における４カラー冊子の印刷物のデータモデルを説明する。
図１０の（ａ）において、４０１は、２つの印刷工程４０２，４０３と２つの加工工程４０４，４０５からなるＡ４カラー冊子を表す製品仕様である。印刷工程４０２は、冊子の表紙を印刷する工程である。印刷した表紙は後続の加工工程４０４に受け渡すことを表す。印刷工程４０３は、冊子の本文を印刷する工程である。印刷した本文は後続の加工工程４０４に受け渡すことを表す。
【００４０】
加工工程４０４は、表紙と本文をくるみ製本で加工する工程である。本加工工程４０４は、くるみ製本機で本文を表紙でくるみ、４５０×３２０のサイズから２２５×３２０のサイズ（単位はいずれもｍｍ）にくるみ製本することを表す。くるみ製本した冊子は、後続の加工工程４０５に受け渡すことを表す。
【００４１】
加工工程４０５は、くるみ製本された表紙と本文の三方を断裁する工程である。本加工工程４０５は、三方を断裁し、２２５×３２０のサイズから２１０×２９７のサイズに断裁することを表す。三方とは、印刷物の上辺（天）、下辺（地）、印刷物を綴じていない側の側辺（小口）を指す。尚、三方を断裁する加工を三方断裁と呼ぶ。
４０６は、表紙印刷を表す印刷設定である。デバイス名がＤＥＶ１である印刷機を使い、用紙名がＳＲＡ３コート紙１１０ｋｇの用紙に両面にカラーで印刷することを表す。
４０７は、本文印刷を表す印刷設定である。デバイス名がＤＥＶ１である印刷機を使い、用紙名がＳＲＡ４コート紙７０ｋｇの用紙に両面にカラーで印刷することを表す。
以下、図１０の（ｂ）を用いて、本実施形態を示す４号カラー名刺の印刷物のデータモデルを説明する。
【００４２】
図１０の（ｂ）において、４０８は印刷仕様で、１つの印刷工程４０９と１つの加工工程４１０からなる４号カラー名刺を表す製品仕様である。印刷工程４０９は、名刺を印刷する工程である。印刷した表紙は後続の加工工程４１０に受け渡すことを表す。
加工工程４１０は、印刷工程４０９で印刷された印刷物の四方を断裁する工程である。本加工工程４１０は、四方を断裁し、２１０×２９７のサイズから９１×５５のサイズ１０枚に断裁することを表す。四方とは、印刷物の上下左右を指す。尚、四方を断裁する加工を四方断裁と呼ぶ。４１１は、名刺印刷を表す印刷設定である。デバイス名がＤＥＶ１である印刷機を使い、用紙名がＡ  ４上質９０ｋｇの用紙に両面にカラーで印刷することを表す。
以下に、上記のＡ４カラー冊子と４号カラー名刺を製造するためのデータ構造について説明する。
【００４３】
＜印刷設定＞
図９の（ｂ）に、印刷設定を管理する印刷設定管理テーブルを示し、本印刷設定管理テーブルには、印刷設定を識別するための印刷設定ＩＤが格納される。ここで、印刷設定ＩＤは、印刷受注システムに印刷設定を登録する際に印刷設定管理部３１１によって採番される。さらに、本テーブルには、当該印刷設定が属する印刷工程の印刷工程ＩＤ、プリントチケットに対応するか否かを表すプリントチケット対応フラグが格納される。さらに、本テーブルには、プリントチケットに対応する場合に、当該印刷設定の印刷設定項目（後述）を反映したプリントチケットファイルと紐づくプリントチケットＩＤ、印刷ジョブチケットに対応するか否かを表す印刷ジョブチケット対応フラグが格納される。
【００４４】
さらに、本テーブルには、印刷ジョブチケットに対応する場合に、当該印刷設定の印刷ジョブチケット設定項目（後述）を反映した印刷ジョブチケットファイルと紐づく印刷ジョブチケットＩＤが格納される。さらに、本テーブルには、当該印刷設定で用いる印刷機のＩＤを表すデバイスＩＤ、当該印刷設定で用いる用紙のＩＤを表す用紙ＩＤ、印刷ジョブチケットに設定する項目を表す印刷ジョブチケット設定項目、その設定項目数が格納される。さらに、本テーブルには、仕上りサイズの幅、高さ、綴じ方、プリントチケット対応時にプリントチケットに設定する項目を表す印刷設定項目、その設定項目数、印刷面、用紙の向き、印刷の色、用紙サイズの幅、高さ、用紙ＩＤが格納される。なお、印刷設定への設定で、プリントチケット対応時にプリントチケットテンプレートに対し、上記印刷設定項目を反映する。印刷設定項目は、プリントチケット未対応時は、その内容を表示した作業指示書の作成を行う。
【００４５】
印刷設定項目を反映したプリントチケットは、プリントチケット（印刷設定済み）としてデータ保持部３２５で保持する。その際、図９の（ａ）プリントチケット管理テーブルのプリントチケット作成日に上記作業を行った日付が設定される。
【００４６】
＜印刷工程＞
図１１は、本実施形態を示す印刷受注システムにおける管理テーブルの一例を示す図である。図１１の（ａ）には、印刷工程を管理する印刷工程管理テーブルを示す。本テーブルは印刷工程を識別するための印刷工程ＩＤを格納する。
ここで、印刷工程ＩＤは、印刷受注システムに印刷工程を登録する際に印刷工程管理部３１２によって採番されるＩＤである。また、本テーブルには、印刷工程の名称を表す印刷工程名、当該印刷工程に属する印刷設定の印刷設定ＩＤが格納される。さらに、本テーブルには、印刷工程を構成する部材に関する情報であって、部材数、部材名、枚数、単価が格納される。
【００４７】
＜加工工程＞
図１１の（ｂ）には、加工工程を管理する加工工程管理テーブルには、加工工程を識別するための加工工程ＩＤが格納される。
ここで、加工工程ＩＤとは、印刷受注システムに加工工程を登録する際に加工工程管理部３１３によって採番されるＩＤである。また、本テーブルには、加工工程の名称を表す加工工程名、当該印刷工程で用いる加工機の名称を表す加工機名、加工単価を算出する際の単価ボリュームが格納される。さらに、本テーブルには、一度の加工で処理できる単位を表す加工費区分が部当たりや枚当たりで設定される。また、本テーブルには、一加工当たりに扱える数量、一加工当たりの単価が格納される。
【００４８】
＜製品仕様＞
図１２は、本実施形態を示す印刷受注システムにおける管理テーブルの一例を示す図である。図１２の（ａ）には、製品仕様を管理する製品仕様管理テーブルを示し、製品仕様を識別するための製品仕様ＩＤが格納される。
ここで、製品仕様を識別するための製品仕様ＩＤは、印刷受注システムに製品仕様を登録する際に製品仕様管理部３１４によって採番されるＩＤである。
また、本テーブルには、製品仕様の名称を表す製品仕様名、印刷受注システムで利用できるようにするか否かを表す有効フラグ、製品仕様のカテゴリを表す製品仕様カテゴリ、当該製品使用の単価を表す基準単価が格納される。さらに、本テーブルには、製品仕様を構成する工程（印刷・加工）に関する情報である工程数、工程ＩＤ、連結情報が格納される。ここで、工程数は、製品仕様を構成する工程の数を表す。また、工程ＩＤは、製品仕様を構成する印刷工程あるいは加工工程を表す。さらに、連結情報は、各工程間の連結状態を表し、左項目が前工程、右項目が後工程である。
【００４９】
１列目に記載の第一の製品仕様（製品仕様ＩＤ＝ＳＰＣ１）は、前述のＡ４カラー冊子を定義する製品仕様であって、印刷工程ＩＤがＰＲＴ１とＰＲＴ２の印刷工程と、加工工程ＩＤがＰＲＣ１とＰＲＣ２の加工工程で構成されることを示す。印刷工程ＰＲＴ１およびＰＲＴ２は、加工工程ＰＲＣ１に連結され、該加工工程ＰＲＣ１は加工工程ＰＲＣ２に連結されることを表す。
【００５０】
３列目に記載の第三の製品仕様は、前述の４号カラー名刺を定義する製品仕様であって、印刷工程ＩＤがＰＲＴ３と、加工工程ＩＤがＰＲＣ３の加工工程で構成されること示す。印刷工程ＰＲＴ３は、加工工程ＰＲＣ３に連結されることを表す。
【００５１】
＜製品の登録＞
次に、図４に示したＳ１０２における処理について説明する。
情報処理部３２８は、作業者からの入力を管理部３０６に送信し、管理部３０６は受信した情報をデータ保持部３２５に格納する。以下に、データ保持部３２５に格納される、すなわち、印刷受注システムに登録される情報について説明する。製品の登録で設定される情報は、製品情報である。以下、図１２の（ｂ）を用いて製品情報について説明する。
【００５２】
＜製品情報＞
図１２の（ｂ）に、製品管理情報を記憶するための製品情報管理テーブルを示す。本テーブルには、製品を識別するための製品ＩＤが格納される。
ここで、製品ＩＤは、印刷受注システムに製品を登録する際に製品管理部３１５によって採番されるＩＤである。また、本テーブルには、製品の名称を表す製品名。当該製品に紐付く製品仕様の製品仕様ＩＤ、製品のバージョンを管理するための改訂番号、当該製品の販売開始日、販売を終了する予定の販売終了日、標準的な出荷日数を表す標準出荷日数、注文できる最大の部数を表す注文可能最大部数、当該製品の試し印刷の要否を示す試し印刷要否フラグが格納される。
【００５３】
＜発注から受注までの流れ＞
次に、図１３の（ａ）を用いて、発注から受注までの処理の流れを説明する。
図１３は、本実施形態を示す印刷受注システムのシーケンス例を示す図である。図１３の（ａ）には発注から受注までのシーケンスを示す。
図１３の（ａ）において、Ｓ２００において、注文情報入力部３０４は、発注者からのログイン要求を管理部３０６の顧客管理部３０７に送信し、認証を行う。
Ｓ２０１において、注文情報入力部３０４は、Ｓ２００での認証結果が正しかった場合には、製品管理部３１５に製品一覧の送信要求を送信する（Ｓ２０３）。製品管理部３１５は、データ保持部３２５に格納された図１２の（ｂ）に示す製品情報管理テーブルから製品情報を取得し、注文情報入力部３０４に送信する。注文情報入力部３０４は、受信した製品情報をもとに図１４に示すような製品の一覧情報画面を生成して発注者のディスプレイに表示する。製品一覧画面については、図１４を用いて後述する。
【００５４】
Ｓ２０３において、発注部３０５は、発注者が選択した製品に対する注文情報を受注部３２２に送信する。受注部３２２は、注文情報を注文管理部３１６に送信する。作業者は発注があった旨を受け取ると指示入力部３２７を介して注文情報の取得要求を情報処理部３２８に発行する。Ｓ２０４において、情報処理部３２８は、作業者からの注文情報の取得要求を受けると、注文管理部３１６を介して注文情報を印刷受注サーバから取得する。Ｓ２０５において、情報処理部３２８は、情報表示部３２９が注文情報を図示しないディスプレイに表示する。ここで、印刷会社３の作業者は、注文情報を閲覧し、受注するか否かを検討する。
【００５５】
Ｓ２０６において、情報処理部３２８は、作業者からの受注の決定を受け付けると、印刷受注サーバの注文管理部３１６に受注の決定を送信する。注文管理部３１６は、後述する注文情報管理テーブルにおけるステータスを受注確定状態に変更する。Ｓ２０７において、受注部３２２は、受注確定の旨のメールを発注者に送信する。
【００５６】
＜製品一覧画面＞
次に、図１４に示すＵＩ画面、例えば発注者のディスプレイに表示される製品一覧画面について説明する。
図１４において、５０１は、製品の一覧およびメニューを表す製品一覧画面である。５０２は、画面を切り替えるためのメニューである。
製品一覧ボタン５０４は製品一覧画面を呼び出すボタンである。注文履歴ボタン５０５は注文履歴画面を呼び出すボタンである。ログアウトボタン５０６はログアウト画面を呼び出すためのボタンである。
５０７は製品一覧で、発注者が発注可能な製品の一覧を表す。第１の製品情報は、製品ＩＤ５０８、商品名５０９、価格５１０、納期５１１、サイズ５１２、用紙５１３、部数５１４から構成される。また、第２の製品情報は、製品ＩＤ５１５、商品名５１６、価格５１７、納期５１８、サイズ５１９、用紙５２０、部数５２１から構成される。
また、第３の製品情報は、製品ＩＤ５２２、商品名５２３、価格５２４、納期５２５、サイズ５２６、用紙５２７、部数５２８から構成される。なお、５２９，５３０、５３１は第１〜第３の製品を選択するための選択欄である。５３３は発注ボタンで、上記各入力項目の内容で製品を発注する際に作業者からの入力を受け付け、設定項目を受注部３２２に送信する。
５３４はキャンセルボタンで、製品一覧画面からの発注手続きをキャンセルする際に作業者からの入力を受け付ける。なお、キャンセルボタン５３４は、発注後の注文をキャンセルするためのボタンではない。発注者は、製品一覧５０７に表示される製品のうち、発注を希望する製品の選択欄５２９〜５３１にチェックを入力し、部数５１４、５２１、５２８に所望の部数を入力する。
【００５７】
＜受注から印刷の流れ＞
次に、図１３の（ｂ）を用いて、注文に対応する印刷物を印刷する処理の流れを説明する。
Ｓ３０１において、印刷会社３において、指示入力部３２７は、作業者からログインＩＤおよびパスワードの入力を受け付けると、情報処理部３２８に受け付けログインＩＤおよびパスワードを引き渡す。情報処理部３２８は、引き渡されたログインＩＤおよびパスワードを印刷受注サーバ２２の管理部３０６に送信し、ログイン認証要求を送信する。管理部３０６は、ログインＩＤとパスワードを照合し、照合結果が正しい場合には、注文一覧を印刷会社３の情報処理部３２８に送信する。
【００５８】
Ｓ３０２において、情報処理部３２８は、管理部３０６から取得する注文一覧画面を情報表示部３２９が図示しないディスプレイに表示する。作業者は注文一覧画面から所望の注文を選択し、該注文に対応する印刷物を印刷するための関連ファイルの取得要求を入力する。注文一覧画面については図１５の（ａ）を用いて後述する。
【００５９】
Ｓ３０３において、印刷会社３の情報処理部３２８は、試し印刷要否の判断及び関連ファイルの取得要求を注文管理部３１６に送信する。関連ファイルの取得要求については、図１５の（ｂ）、図１６を用いて後述する。Ｓ３０４において、生成部３２３は、取得要求を受けた関連ファイルを生成する。Ｓ３０５において、出力部３２４は、生成した関連ファイルを情報処理部３２８に出力する。
【００６０】
Ｓ３０６において、情報処理部３２８は、出力部３２４から出力された関連ファイルを印刷受注サーバ２２から取得し、データ保持部３３０に保存する。その際、製品が試し印刷「要」かどうかを判断する。ここで、製品が試し印刷「要」であると情報処理部３２８が判断した場合、試し印刷用のファイルを取得することが可能になる。
Ｓ３０７において、印刷部３３１は、印刷ジョブチケットおよび印刷データをＨｏｔＦｏｌｄｅｒに投入し、印刷する。印刷完了後、その旨を印刷受注システムに通知する。
【００６１】
Ｓ３０８において、加工部３３２は、加工ジョブチケットに基づきＳ３０７で印刷された印刷物を加工機３４で加工する。具体的には、まず、情報処理部３２８は、作業者からの指示に基づき加工ジョブチケットを所定のＨｏｔＦｏｌｄｅｒに投入する。
次に、情報処理部３２８は、投入された加工ジョブチケットを取得し、加工機３４が解釈できる形式に変換し、加工機３４に送信する。加工部３３２は、受信した加工ジョブチケットに基づき、加工機３４に備えられている表示パネルに加工方法の選択肢を表示する。
加工部３３２は、作業者からの加工方法の選択を受け付ける。加工部３３２は、加工すべき印刷物が作業者により印刷機３３に載置されることを待機する。加工部３３２は、作業者からの加工開始の入力を受け付けると、受信した加工ジョブチケットに基づき所定の加工を行う。
注文管理部３１６は、注文に対応する印刷物の製造に用いた関連ファイルを当該注文に関連付けてデータ保持部３２５に保存する。Ｓ３０８において、印刷会社３の作業者は、印刷・加工された印刷物を発注者に発送する。
＜注文一覧画面＞
次に、図１５の（ａ）を用いて、注文一覧画面について説明する。
図１５の（ａ）において、６０１は、印刷会社３が受注した注文の一覧を表す注文一覧画面である。６０２から６０９は、第一の注文に関する情報である。
６０２は、注文を識別するための注文ＩＤである。６０３は、注文明細を識別するための注文明細ＩＤである。６０４は、発注者が希望する希望出荷日である。
６０５は、注文に対応する製品の名称を表す製品名である。６０６は、注文の発注者を表す取引先である。６０８は、注文に対応する印刷物の部数である。６０９は、注文に対する作業の進捗状況を表すステータスである。６１０から６１７は第２の注文に関する情報である。６１８および６１９は、それぞれ第１、第２の注文を排他的に選択するためのラジオボタンである。６２０は注文詳細ボタンで、ラジオボタンで選択した注文に関する詳細情報を表示する注文詳細画面を呼び出すためのボタンある。
＜注文詳細画面＞
次に、図１５の（ｂ）を用いて、注文詳細ボタン６２０が押下された場合に表示される注文詳細画面について説明する。
図１５の（ｂ）において、７０１は、前記注文一覧画面で選択された注文の詳細情報を表示するための注文詳細画面である。７０２は、注文に関する基本情報を表す注文基本情報である。注文に関する基本情報は、注文ＩＤ７０３、取引先７０４、ステータス７０５、決済方法７０６が含まれる。７０９は、注文に関する詳細情報を表す注文詳細情報である。
７１０から７１８は、注文に関する詳細情報である。７１０は、注文明細ＩＤである。７１１は、発注部数である。７１２は、製品ＩＤである。
７１３は、入稿の状況を表す入稿ステータスである。７１４は、発注者が受取を希望する受取希望日である。７１５は、製品名である。７１６は、校正の状況を表す校正ステータスである。
７１７は、製品仕様ＩＤである。７１８は、作業の状況を表す作業ステータスである。７１９は、注文に関連するファイルを表す注文関連ファイルである。７２０から７２９は、注文に関連するファイルのうち作業者が取得したいファイルを選択するためのチェックボックスである。
【００６２】
チェックボックス７２０は、入稿データを選択するためのチェックボックスである。チェックボックス７２１は校正前データを選択するためのチェックボックスである。チェックボックス７２２は、校正後データを選択するためのチェックボックスである。チェックボックス７２３は、校正結果を選択するためのチェックボックスである。チェックボックス７２４は、印刷データ（ＲＩＰ前）を選択するためのチェックボックスである。
チェックボックス７２５は、印刷データ（ＲＩＰ後）を選択するためのチェックボックスである。チェックボックス７２６は、作業指示書を選択するためのチェックボックスである。
チェックボックス７２７は、印刷ジョブチケットを選択するためのチェックボックスである。チェックボックス７２８は、プリントチケットを選択するためのチェックボックスである。チェックボックス７２９は加工ジョブチケットを選択するためのチェックボックスである。情報処理部３２８は、注文中の製品の試し印刷要否フラグに基づき下記ラジオボタン７３０の表示制御を行う。７３０はラジオボタンで、試し印刷か本印刷かを排他的に選択するためボタンである。
【００６３】
本注文詳細画面に表示の注文詳細では、製品（製品ＩＤ＝ＰＲＤ１）を表示している。同製品は、図１２の（ａ）に示した試し印刷要否フラグが「要」の製品であるため、情報処理部３２８は試し印刷は「要」と判断し、情報表示部３２９は、選択可能なラジオボタン７３０を表示する。試し印刷要否フラグが「否」の製品では、ラジオボタン７３０は表示されない。
【００６４】
７３１は、印刷を行うために関連ファイルを受信し保存するボタンである。注文関連ファイルの各チェックボックス７２０から７２９及び７３０の選択状態を取得し、チェックされたファイルに対する送信要求を注文管理部３１６に送信し、受信した関連ファイルを保存する。前記ラジオボタン７３０において試し印刷が選択された状態の際は、生成部３２３にてプリントチケット部数更新を行う。具体的にはプリントチケットの出力部数に１部を指定する。
前記ラジオボタン７３０において本印刷が選択された状態の際は、生成部３２３にてプリントチケットの部数には受注した部数が指定される。
なお、プリントチケットに対する部数の指定は、試し印刷可能な場合に本印刷を選択時には、受注部数から試し印刷分を除いた部数（つまり１部減算した部数）を指定してもかまわない。
【００６５】
また、試し印刷と本印刷の選択は、ラジオボタンに限るものではない、排他的に選択可能ならば、どのような形式でもかまわない。例えばボタンを２つに分けて、試し印刷保存と本印刷保存としてもかまわない。
７３２は、注文詳細画面を閉じるための閉じるボタン７３２である。
【００６６】
＜注文情報＞
図１６に、印刷受注システムを介して発注された注文に関する情報を管理する注文情報管理テーブルで、以下の要素を格納する。
本テーブルでは、注文を識別するための注文ＩＤ、注文の名称を表す注文名、取引先、ステータス、決済の方法、注文に関する明細のＩＤを表す注文明細ＩＤ、注文に紐付く製品のＩＤを表す製品ＩＤ、印刷物の部数。入稿、校正、作業の各ステータス、受取希望日が格納される。
＜関連ファイルの生成方法＞
図３に示す生成部３２３は、データ保持部３２５に格納される図６に示す注文情報管理テーブルを参照し、注文ＩＤを取得する。注文ＩＤに記載の製品ＩＤを参照し、図１２の（ｂ）に示す製品情報管理テーブルから該製品ＩＤに該当する製品情報を取得する。そして、製品情報に記載の製品ＩＤを参照し、製品情報管理テーブルから該製品ＩＤに該当する製品情報を取得する。製品情報に記載の製品仕様ＩＤを参照し、図１２の（ａ）に示す製品仕様管理テーブルから該製品仕様ＩＤに該当する製品仕様情報を取得する。
【００６７】
製品仕様情報に記載の工程ＩＤを参照し、図１１の（ａ）に示す印刷工程管理テーブルから該印刷工程ＩＤに該当する印刷工程情報を取得する。また、図１１の（ｂ）に示す加工工程管理テーブルから該加工工程ＩＤに該当する加工工程情報を取得する。印刷工程情報に記載の印刷設定ＩＤを参照し、印刷設定管理テーブルから該印刷設定ＩＤに該当する印刷設定情報を取得する。
【００６８】
印刷ジョブチケットを生成する場合には、印刷設定に記載の印刷ジョブチケット設定項目を参照し、不図示の設定項目と印刷ジョブチケットの要素の対応表を参照し、設定項目に設定された値を印刷ジョブチケットの対応する要素に書き込む。例えば、図９の（ｂ）に示す印刷設定管理テーブルに記載の第一の印刷設定であれば、仕上りサイズの幅の値「２１０」を印刷ジョブチケットの「ＦｉｎａｌＣｏｍｐｏｎｅｎｔＳｉｚｅＷｉｄｔｈ」要素に書き込む。
【００６９】
プリントチケットを生成する場合には、印刷設定に記載の印刷設定項目を参照し、不図示の設定項目とプリントチケットの要素の対応表を参照し、設定項目に設定された値をプリントチケットの対応する要素に書き込む。例えば、図９の（ｂ）に示す印刷設定管理テーブルに記載の第一の印刷設定であれば、印刷面の値である「両面」に相当する値「ＴｗｏＳｉｄｅｄ」をプリントチケットのＤｕｐｌｅｘ要素に書き込む。書き込む値が数値でない場合には、不図示の、印刷設定管理テーブルの値とプリントチケットに書き込む値の対応表を参照する。あるいは、該対応表を設けず、印刷設定管理テーブルの値にプリントチケットに書き込む値を記述するようにしても良い。
【００７０】
図１７は、本実施形態を示す印刷受注システムにおけるプリントチケット作成処理例を説明するフローチャートである。本例は、印刷受注サーバ２２が作成するプリントチケット作成処理例に対応する。
図１７において、８０１は、プリントチケットテンプレートである。８０２は、印刷設定である。８０３は、印刷設定項目である。８０４は、プリントチケット（印刷設定済み）である。プリントチケットテンプレート８０１は、印刷設定８０２において印刷設定項目８０３を反映し、プリントチケット（印刷設定済み）８０４を作成する。
【００７１】
プリントチケット（印刷設定済み）８０４は、図９の（ａ）プリントチケット管理テーブルによりプリントチケットＩＤとプリントチケットファイルを関連付けて管理する。
また、図９の（ａ）プリントチケット管理テーブルのプリントチケット作成日に該設定を行った日を設定する。図９の（ｂ）に示す印刷設定管理テーブルでは、作成されたプリントチケット（印刷設定済み）８０４と紐づくプリントチケットＩＤを保持し、印刷設定とプリントチケットを関連付けて管理する。以上は、図４中Ｓ１０１の初期設定で行われる。８０５は、関連ファイル作成である。８０６は、注文情報である。８０７は、プリントチケット（完成形）である。
【００７２】
プリントチケット（印刷設定済み）８０４に対し、関連ファイル作成８０５にて注文情報８０６から出力部数を反映したプリントチケット（完成形）８０７を作成する。以上は、図４中Ｓ１０５の関連ファイルの取得で行われる。８０８は、印刷実績反映である。８０９は、印刷実績の入力操作である。
８１０は、プリントチケット（印刷設定済み）８０４に対し印刷実績日（＝２０１２／０８／１０）を反映したプリントチケット（印刷設定済み）である。印刷実施後に、受注システムに対し印刷完了が通知されると印刷実績反映により使用したプリントチケットの印刷実績を使用した日付で更新する。以上は、図４中Ｓ１０６の印刷で行われる。
なお、作成日や実績日の管理は、上記のように管理テーブルで管理してもかまわないし、また、プリントチケットファイル内に保持してもかまわない。
【００７３】
加工ジョブチケットを生成する場合には、管理部３０６で管理される各種印刷仕様に関する情報に基づき、加工ジョブチケットの対応する要素に値を書き込む。例えば、用紙情報管理テーブルに記載の紙厚と印刷工程管理テーブルに記載の枚数から背厚を算出し、該背厚を加工ジョブチケットの対応する要素に書き込む。
【００７４】
本実施形態において、作業指示書を生成する場合には、各種印刷仕様に関する情報に基づき、各種テーブル記載の値を作業指示書の対応する項目に値を書き込む。例えば、作業指示書の用紙名項目であれば、注文情報から順に下層の部材を辿り、印刷設定に記載の用紙ＩＤから対応する用紙の用紙名を取得し、作業指示書の用紙名項目に書き込む。図１８の例は、図１２の（ｂ）に示した製品情報管理テーブル中で試し印刷フラグが「１」の場合において、試し印刷が「要」の製品に対する作業指示書の例を図１８の（ａ）に示す。作業指示書を作成する生成部３２３は、図１８の（ａ）中において、試し印刷について、要／否欄は、「要」を表示する。
【００７５】
理由欄は、「試し印刷必要製品」を表示し、確認事項欄は、「色味を確認」を表示する。試し印刷が「否」の場合は、生成部３２３は、要／否欄に、「否」と表示しても良いし、試し印刷についての情報自体を一切表示しなくても良い。
【００７６】
なお、生成部３２３は、作業指示書に出力する試し印刷に関する情報は、前記ラジオボタン７３０にて「試し印刷」を指定された場合に表示する。前記ラジオボタン７３０にて「本印刷」を指定された場合には試し印刷に関する情報は出力しても、出力しなくてもかまわない。
【００７７】
また、生成部３２３は、試し印刷の際に作成する作業指示書の出力部数として、１部と明記してもよい。また、その際、受注部数を併記しても構わない。生成部３２３は、本印刷の際に作成する作業指示書の出力部数として、受注部数をそのまま表示しても構わないし、試し印刷が「要」であった場合には、試し印刷を考慮し、受注部数から１部減算した部数を出力部数と表示しても構わない。
以上説明した本実施形態によれば、製品（商品）の定義から試し印刷要否を判断し、「要」と判断された時に試し印刷が可能になる。また、試し印刷に関する情報が作業指示書に出力されるので、試し印刷の目的やその理由及び試し印刷で確認すべき事項の理解が容易となる。
【００７８】
また、本実施形態によれば、情報処理部３２８が製品（商品）の定義から試し印刷の要否を判断する。ここで、製品（商品）の定義上試し印刷フラグが「要（１）」であると情報処理部３２８が判断した場合は、試し印刷が「要」と判断し、試し印刷を選択することが可能になる。
一方、製品（商品）の定義上試し印刷フラグが「否」であると情報処理部３２８がが判断した場合は、試し印刷が「否」と判断する。試し印刷が「否」と判断した場合は、試し印刷の選択肢が画面に表示されないので、作業者にとっては不要な情報を見なくて済む。また、その場合、作業指示書にも試し印刷に関する情報を出力しない。そのため作業者は、試し印刷の要否を一目で認識が可能となる。
〔第２実施形態〕
【００７９】
以下、第２実施形態について説明する。本実施形態の構成は第１実施形態に準じており、印刷受注システムの論理構成は図３に対応する。なお、第２実施形態における印刷受注システムの論理構成について、図１９を用いて後述する。また、図３中の情報処理部３２８は、図１９中では情報処理部３３３になる。情報処理部３３３については後ほど詳しく述べる。
【００８０】
また、第１実施形態では、製品（商品）の定義にある試し印刷要否フラグを利用して試し印刷の判断及び作業指示書への試し印刷に関する情報の出力を行った。また、印刷設定においてプリントチケットを使用する場合について説明を行った。第１実施形態に対して第２実施形態では、製品（商品）の定義の試し印刷要否フラグが「否」の場合でも試し印刷が必要な場合について説明する。
【００８１】
それは、印刷設定において、プリントチケットを使用しない印刷工程を設ける場合である。
プリントチケットを使用しない理由は、印刷機の機種によってプリントチケットを使用することができない場合やプリントチケット対応印刷機でもプリントチケットを使用しないように定義した場合である。
プリントチケット対応印刷機でもプリントチケットを利用しない理由として以下の３つを上げる。
第１の理由は、複数の印刷機を持つ印刷所において、ワークフローを統一し行うという方針があり、プリントチケット対応印刷機と未対応印刷機が混在する場合である。第２の理由は、印刷所の管理者または作業者のプリントチケットに対する信頼性が低く使用を回避している場合である。
第３の理由は、プリントチケット対応印刷機であってもプリントチケットで設定可能な印刷設定を超えるような特別な設定を行う場合である。以上プリントチケットに対応している印刷機においてプリントチケットを利用しない理由を３つ上げたが、プリントチケットを利用しない理由は、これに限るものではない。
【００８２】
プリントケットを使用しない場合、印刷物を制作する時作成する作業指示書に基づき作業者が人手で印刷設定を入力する必要がある。人手で入力すると入力時に間違いが起きる可能性があるため、印刷設定の正しさを確認する必要がある。印刷設定の間違いをなくすためには印刷設定の入力時にチェック、確認を行ったとしても間違いが残る可能性がある。したがって、プリントチケットを使用しない印刷工程では、印刷設定を確認するため試し印刷をする必要がある。
図９の（ｂ）の印刷設定管理テーブルを用いてプリントチケットを使用しない印刷工程について説明する。図９の（ｂ）で印刷設定ＩＤ＝「ＳＥＴ３」は、プリントチケットが無効（＝０）となっている。したがってプリントチケットを使用しない印刷工程となる。その場合、プリントチケットは使用しないので印刷設定管理部３１１は、プリントチケットテンプレートからプリントチケット（印刷設定済み）の作成を行わない。当該印刷設定の印刷設定項目は、作業指示書の内容を出力する。
【００８３】
上記印刷設定を持つ印刷工程から構成される製品仕様と紐づいた製品を受注した場合の例について図２０に示す注文詳細画面を用いて説明する。
図２０に示す注文詳細画面は、図１５の（ｂ）に示す注文詳細画面からプリントチケット欄及び同チェックボックス７２８を非表示とした画面例である。
図１９は、本実施形態を示す印刷受注システムの構成を説明するブロック図である。本実施形態では、情報処理部３３３がプリントチケットの使用の有無を判断する。ここで、情報処理部３３３がプリントチケットを使用しないと判断した場合、情報表示部３２９は、プリントチケット欄及び同チェックボックス７２８を非表示にした図２０に示す注文詳細画面を表示する。
なお、プリントチケット不使用の場合に、プリントチケット欄及び同チェックボックス７２８を非表示にする以外にも、チェックボックスにチェックが不可の状態で表示する例えばグレーアウトして表示してもかまわない。
また、情報処理部３３３は、プリントチケットの使用の有無によってラジオボタン７３０の表示制御を行う。７３０は、試し印刷か本印刷かを排他的に選択するためのラジオボタンである。
【００８４】
本注文詳細画面に表示の注文詳細では、製品（製品ＩＤ＝ＰＲＤ３）を表示している。同製品は、試し印刷要否フラグが「否」の製品である。しかし、同製品の印刷工程ではプリントチケット不使用のため、情報処理部３３３は試し印刷は「要」と判断する。試し印刷が「要」と判断した場合、情報表示部３２９は、選択可能なラジオボタン７３０を表示する。試し印刷が否と判断された場合、情報表示部３２９は、選択可能なラジオボタン７３０を表示しない。
プリントチケットを使用しない印刷に対する作業指示書の例を図１８の（ｂ）に示す。作業指示書を作成する生成部３２３は、図１８の（ｂ）中において、試し印刷について、要／否欄は、「要」を出力する。生成部３２３は、理由欄は、「プリントチケットなし」を表示し、確認事項欄は、「印刷設定を確認」を表示する。試し印刷が「否」の場合は、生成部３２３は、要／否欄に、「否」と表示しても良いし、試し印刷についての情報自体を一切表示しなくても良い。
【００８５】
以上説明した本実施形態によれば、プリントチケットの使用の有無で試し印刷の要否を判断し、プリントチケットを使用しない場合は、試し印刷が「要」と判断し、試し印刷を選択することが可能になる。試し印刷が「否」と判断された場合は、試し印刷の選択肢が画面に表示されないので、作業者にとっては不要な情報を見なくて済む。また、その場合、作業指示書にも試し印刷に関する情報を出力しない。そのため作業者は、試し印刷の要否を一目で認識が可能となる。
【００８６】
〔第３実施形態〕
以下、第３実施形態について説明する。本実施形態の構成は第１実施形態に準じており、印刷受注システムの論理構成は図３に対応する。なお、第２実施形態における印刷受注システムの論理構成について、図２１を使用して説明する。図３中の情報処理部３２８は、図２１中では情報処理部３３４になる。情報処理部３３４については後ほど詳しく述べる。
【００８７】
第１実施形態では、製品（商品）の定義にある試し印刷要否フラグを利用して試し印刷の判断及び作業指示書への試し印刷に関する情報の出力制御を行う場合について説明した。第２実施形態では、印刷工程のプリントチケットの使用の有無を利用して試し印刷の判断及び作業指示書への試し印刷に関する情報の出力を行う制御について説明した。これに対して、製品（商品）の定義の試し印刷要否フラグが「否」の場合で、かつ、プリントチケットを使用する印刷工程でも試し印刷が必要な場合がある。
【００８８】
それは、プリントチケットの状態により必要となる場合がある。例えば印刷物の制作を一度も実施していないプリントチケットの場合に発生する。プリントチケットが存在する場合は、人手による印刷設定は行わなくて済むため印刷物を制作する時に行う印刷設定では間違いは発生しない。しかしながら、図９の（ｂ）中の印刷設定項目８０３の入力自体に間違いがある場合は、印刷設定８０２で出力するプリントチケット（印刷設定済み）８０４の設定内容に間違いが設定される。つまり、図９の（ｂ）の印刷設定管理テーブルに対し、印刷設定項目を設定しプリントチケットを作成するが、その際、印刷設定項目自体に入力ミスにより間違いがある場合がある。
【００８９】
したがって、該プリントチケットで一度印刷を実際にすることにより、印刷設定の正しさを確認する必要がある。そのような場合の試し印刷の要否の判断について、本実施形態において具体的に説明する。
チケット管理部３１０は、図９の（ａ）のプリントチケット管理テーブルにおいてプリントチケット作成日と印刷実績日を管理している。プリントチケット作成日が印刷実績日より以前の場合は、該プリントチケット作成後に印刷を行っている。印刷実績日に入力値がないか、あってもプリントチケット作成日が印刷実績日より後の場合は、該プリントチケット作成後に印刷をしていない。
図２１において、情報処理部３３４は、プリントチケット作成日と印刷実績日を比較し、図１５の（ｂ）中のラジオボタン７３０の表示制御を行う。７３０は、試し印刷か本印刷かを排他的に選択するためのラジオボタンである。
【００９０】
情報処理部３３４は、プリントチケット作成日と印刷実績日を比較し、印刷実績日に入力値がないか、あってもプリントチケット作成日が印刷実績日より後の場合は、試し印刷は「要」と判断する。試し印刷が「要」と判断した場合、情報表示部３２９は、選択可能なラジオボタン７３０を表示する。試し印刷が否と判断された場合、情報表示部３２９は、選択可能なラジオボタン７３０を表示しない。
プリントチケットの印刷実績がないため試し印刷が「要」となった場合の作業指示書の例を図１８の（ｃ）に示す。生成部３２３は、図１８の（ｂ）中の試し印刷について、要／否欄は、「要」を表示する。生成部３２３は、理由欄は、「プリントチケット印刷実績なし」を表示し、確認事項欄は、「印刷設定を確認」を表示する。試し印刷が「否」の場合は、生成部３２３は、要／否欄に、「否」と表示しても良いし、試し印刷についての情報自体を一切表示しなくても良い。
【００９１】
以上説明した本実施形態によれば、プリントチケットの印刷実績で試し印刷の要否を判断し、「要」印刷実績がない場合は試し印刷が「要」と判断し時に試し印刷が可能になる。試し印刷が「否」と判断された場合は、試し印刷の選択肢が画面に表示されないので、作業者にとっては不要な情報を見なくて済む。また、その場合、作業指示書にも試し印刷に関する情報を出力しない。そのため作業者は、試し印刷の要否を一目で認識が可能となる。
〔第４実施形態〕
【００９２】
以下、第４実施形態について説明する。本実施形態の構成は第１実施形態に準じており、印刷受注システムの論理構成は図３に対応する。なお、第４実施形態における印刷受注システムの論理構成について、図２２を使用して説明する。図３中の情報処理部３２８は、図２２中では情報処理部３３５になる。情報処理部３３５については後ほど詳しく述べる。
【００９３】
本実施形態は、第１実施形態と第２実施形態とを組合せた実施形態である。第一の実施形態における試し印刷要否の判断条件（製品定義の印刷要否フラグ）と第２実施形態における試し印刷要否の判断条件（プリントチケットの不使用）は互いに排他的条件ではない。したがって、製品（書品）定義の印刷要否フラグが「要」で、かつ、プリントチケットを使用しない場合が混在する場合がある。このような場合に対応するため、第４実施形態では、第１実施形態と第２実施形態とを組み合わせることによって本課題を解決する。
図２３は、本実施形態を示す印刷受注システムの試し印刷処理例を説明するフローチャートである。以下、第１実施形態と第２実施形態との組み合わせが有る場合の試し印刷要否判断と作業指示書へ出力する試し印刷に関する情報について説明する。
図２３の試し印刷要否判断は、情報処理部３３５で行われ、その判断結果に基づき、情報表示部３２９は図１５の（ｂ）注文詳細画面を表示する。
【００９４】
まず、Ｓ９０１で、初期処理を行う。初期処理とし、試し印刷フラグに「否」を設定し、カウンタ値ｉに「０」を設定する。次にＳ９０２で、情報処理部３３５が製品定義上の試し印刷要否フラグが「要」か「否」かを判断する。ここで、製品定義上の試し印刷要否フラグが「要」であると情報処理部３３５が判断した場合は、Ｓ９０３へ進む。
一方、製品定義上の試し印刷要否フラグが「要」でないと情報処理部３３５が判断した場合は、Ｓ９０４へ進む。
Ｓ９０３では、試し印刷フラグを「要」に、理由（ｉ番目）に「試し印刷必要製品」を、確認（ｉ番目）に「色味を確認」を設定し、ｉに「１」を加算する。ここで、理由と確認の（ｉ番目）とは、理由と確認が複数保持可能とする配列管理を表す。Ｓ９０３が終わるとＳ９０４へ進む。
次にＳ９０４で、情報処理部３３５がプリントチケットが「有」か、「無」かどうかを判断する。ここで、プリントチケットが「有」でないと情報処理部３３５が判断した場合は、Ｓ９０５へ進む。また、プリントチケットが「有」であると情報処理部３３５が判断した場合は、Ｓ９０６へ進む。
Ｓ９０５では、情報処理部３３５は、試し印刷フラグを「要」に、理由（ｉ番目）に「プリントチケットなし」を、確認（ｉ番目）に「印刷設定を確認」を設定する。
Ｓ９０５が終わると当フローチャートを終了する。次に、Ｓ９０６で、プリントチケットの作成日と印刷実績日の比較を行う。作成日≧印刷実績日であると情報処理部３３５が判断した場合は、Ｓ９０７へ進む。作成日＜印刷実績日であると情報処理部３３５が判断した場合は、当フローチャートを終了する。
Ｓ９０７では、情報処理部３３５は、試し印刷フラグを「要」に、理由（ｉ番目）に「プリントチケット印刷実績なし」を、確認（ｉ番目）に「印刷設定を確認」を設定する。Ｓ９０７が終わると当フローチャートを終了する。以上のフローチャートにより試し印刷要否の判断と作業指示書に出力する試し印刷に関する情報が設定された。
【００９５】
情報処理部３３５で実行される上記フローチャートにおいて、試し印刷フラグが「要」となった場合、情報表示部３２９は、図１５の（ｂ）のラジオボタン７３０を表示する。試し印刷フラグが「否」の場合は、情報表示部３２９は、図１５の（ｂ）のラジオボタン７３０は表示しない。
【００９６】
本実施形態では、第１、第２の実施形態の組合せであるので、図２３中のＳ９０２では、「はい」でＳ９０３へ行き。Ｓ９０４では、「いいえ」でＳ９０５へ行き処理を終了する。
情報処理部３３５で実行した図２３フローチャート処理終了時には、試し印刷フラグには「要」が設定される。
理由（０）には、「試し印刷必要製品」が、理由（１）には、「プリントチケットなし」が設定される。確認（０）には、「色味を確認」が、確認（１）には、「印刷設定確認」が設定される。上記情報処理部３３５で実行した図２３フローチャートの結果に基づく作業指示書の例を図１８の（ｄ）に示す作業指示書を作成する生成部３２３は、図１８の（ｄ）中試し印刷について、要／否欄は、「要」を出力する。理由欄は、「試し印刷必要製品」と「プリントチケットなし」を表示する。確認事項欄は、「色味を確認」と「印刷設定を確認」を表示する。なお、組合せの形態は第１実施形態と第２実施形態に限らず、第１実施形態と第３実施形態の組合せもあり、同様に作業指示書に対し２つの理由と確認事項が表示される。なお、第２実施形態と第３実施形態は互いに排他条件であるため組合せられることはない。
【００９７】
以上説明した本実施形態によれば、試し印刷が「要」な場合を製品（商品）定義とプリントチケットの使用の有無又はプリントチケットの印刷実績情報で判断し、試し印刷が「要」と判断された時に試し印刷が可能になる。複数の事由により試し印刷が「要」と判断した場合は、作業指示書に複数の事由に関する情報を表示する。そのことにより、作業者は、複数の事由による試し印刷についても、その内容を一目で確認することが可能になる。
〔第５実施形態〕
【００９８】
以下、第５実施形態について説明する。本実施形態の構成は第４実施形態に準じており、第４実施形態における印刷受注システムの論理構成図は、図２２であった。第５実施形態における印刷受注システムの論理構成図は、図２４を使用する。図２２中の情報処理部３３５は、図２４中では情報処理部３３６になる。情報処理部３３６については後ほど詳しく述べる。
【００９９】
第４実施形態では、情報処理部３３５で行う判断を図２３フローチャートを用いて説明した。第５実施形態では、別の方法による判断の方法を説明する。それは図２５に示す試し印刷要否判断テーブルを使用する方法である。図２５に示す試し印刷要否判断テーブルの条件１から３までの各列に対し条件文を発行することで条件に合致した行を１行特定し、その行を取り出すことが可能である。
【０１００】
図２５に示す試し印刷要否判断テーブルの条件１は、製品定義の試し印刷要否フラグは「要」かである。条件２は、プリントチケット使用するか、である。条件３は、プリントチケット作成日＜印刷実績日かである。
条件１から条件３の列値には、「Ｙ」又は「Ｎ」が設定されている。「Ｙ」は条件の肯定であり、「Ｎ」は条件の否定である。結果の列値には、試し印刷の要否、理由、確認に関する情報が設定されている。
情報処理部３３６は、図２５に示す試し印刷要否判断テーブルに対し条件文を発行することで試し印刷の要否の判断と作業指示書に表示する理由、確認内容を取得する。
また、情報処理部３３６は、条件１が「Ｙ」かつ条件２が「Ｙ」かつ条件３が「Ｎ」の検索条件で図２５に示す試し印刷要否判断テーブルを検索すると、結果として以下が返る。
・試し印刷＝要
・理由（０）：  「試し印刷必要製品」
・理由（１）：  「プリントチケットなし」
・確認（０）：  「色味を確認」
・確認（１）：  「印刷設定確認」
すなわち第４実施形態では、図２３フローチャートで実行した判断と同様の事が図２５試し印刷要否判断テーブルに対する検索処理で実行することができる。
以上説明した第５実施形態によれば、試し印刷の判断を条件分岐によらず、データに対する検索で可能になる。
〔第６実施形態〕
【０１０１】
以下、第６実施形態について説明する。本実施形態の構成は第１実施形態に準じており、第１実施形態において、試し印刷の要否は、注文中の製品の試し印刷要否フラグに基づき判断を行った。しかし、製品の定義に試し印刷要否フラグが存在しないと試し印刷の判断ができないとは限らない。例えば、製品の定義において、カラー・白黒区分（印刷物がカラーか白黒の区別をする区分）と製品カテゴリが存在する例がある。この場合、カラー・白黒区分が「カラー」で、製品カテゴリが「フォトアルバム」ならば、試し印刷は要と判断しても良い。また、製品カテゴリが「フォトアルバム」だが、カラー・白黒区分が「白黒」ならば、試し印刷は否と判断しても良い。
〔第７実施形態〕
【０１０２】
以下、第７実施形態について説明する。本実施形態の構成は第３実施形態に準じており、第３実施形態において、プリントチケットの印刷実績により試し印刷の要否の判断を行った。しかし、プリントチケットの印刷実績があれば試し印刷が不要になるとは限らない。プリントチケットの対象デバイスがメンテナンス等で更新された場合に、印刷実績があっても、更新後の一回目の印刷については試し印刷が要としても良い。
〔第８実施形態〕
【０１０３】
以下、第８実施形態について説明する。本実施形態の構成は第３実施形態に準じており、第３実施形態において、プリントチケットの印刷実績により試し印刷の要否の判断を行った。しかし、プリントチケットの印刷実績があれば試し印刷が不要になるとは限らない。プリントチケットに有効期限を持たせておき、有効期限が切れた後の一回目の印刷については試し印刷が要としても良い。プリントチケットに有効期限を設定することにより、デバイスが経年変化した場合に再度試し印刷が必要になる場合に有効である。また、印刷実績があれば、それに応じ有効期限を延長することも好ましい。
〔第９実施形態〕
【０１０４】
以下、第９実施形態について説明する。本実施形態の構成は第１実施形態に準じており、第１実施形態において、試し印刷の要否を判断し、試し印刷が要の場合に試し印刷の選択が可能となった。この場合、試し印刷は必要な場合のみ選択可能になることを前提としている。しかし、試し印刷はすべてにおいて選択可能とすることを前提とし、試し印刷の要否が否の場合に試し印刷の選択を不可とするような制御でも同様のことが可能となる。
【０１０５】
なお、各実施形態において、作業指示書は、紙に限らず、大画面やノートＰＣやプロジェクタ或いはタブレット等の電子端末に表示することが可能である。また、作業指示書は、表示だけに限らず音声出力で通知することも可能である。
以下、上記各実施形態に適用する印刷制御装置の制御方法をフローチャートに基づいて説明する。
図２６は、本実施形態を示す印刷制御装置の制御方法を説明するフローチャートである。本例は、印刷制御装置に対応する図１に示した計算機３１が実行する印刷制御例であって、図２に示したハードウエア資源を備えて、計算機３１のＣＰＵ２０１が記憶装置２０６等に記憶された制御プログラムらを実行することで実現される。ここで、制御プログラムは、図３に示したプログラム３の情報処理部３２８，情報表示部３２９等に対応する。以下、ＣＰＵ２０１が実行するプログラムを主体として制御を説明する。
Ｓ２６０１で、情報処理部３２８は、図１に示した印刷受注サーバ２２から受信する印刷指示情報中に第１実施形態で示した試し印刷フラグが「１」に設定されているかどうかを判断する。ここで、印刷指示情報中の試し印刷フラグが「１」であると判断した場合、情報処理部３２８は、作成する印刷指示書の試し印刷のためのラジオボタン７３０を表示するように試し印刷有りに設定して（Ｓ２６０２）、Ｓ２６１０で、情報表示部３２９が図２０に示すラジオボタン７３０として、試し印刷指示ボタンと本印刷指示ボタンを表示して、本処理を終了する。
一方、Ｓ２６０１で、第１実施形態で示した試し印刷フラグが「１」に設定されていないと情報処理部３２８が判断した場合、第２実施形態に対応すべく、図１に示した印刷受注サーバ２２から受信する印刷指示情報中にプリントチケットが含まれているかどうかを判断する（Ｓ２６０３）。ここで、プリントチケットが含まれていると判断した場合、情報処理部３２８は、作成する印刷指示書の試し印刷のためのラジオボタン７３０を表示するように試し印刷有りに設定して（Ｓ２６０４）、Ｓ２６１０で、情報表示部３２９が図２０に示すラジオボタン７３０として、試し印刷指示ボタンと本印刷指示ボタンを表示して、本処理を終了する。
一方、Ｓ２６０３で、プリントチケットが含まれていないと情報処理部３２８が判断した場合、第３実施形態に対応すべく、図１に示した印刷受注サーバ２２から受信する印刷指示情報中にプリントチケットがあるが、その印刷実績があるかどうかを判断する（Ｓ２６０５）。ここで、プリントチケットがあるが、その印刷実績がないと判断した場合、情報処理部３２８は、作成する印刷指示書の試し印刷のためのラジオボタン７３０を表示するように試し印刷有りに設定して（Ｓ２６０６）、Ｓ２６１０で、情報表示部３２９が図２０に示すラジオボタン７３０として、試し印刷指示ボタンと本印刷指示ボタンを表示して、本処理を終了する。
一方、Ｓ２６０５で、プリントチケットが含まれていないと情報処理部３２８が判断した場合、第５実施形態に対応すべく、図１に示した印刷受注サーバ２２から受信する印刷指示情報と図２５に示す試し印刷容疑判断テーブルとの情報を比較して試し印刷が必要な印刷商品かどうかを判断する（Ｓ２６０７）。ここで、試し印刷が必要な印刷商品であると判断した場合、情報処理部３２８は、作成する印刷指示書の試し印刷のためのラジオボタン７３０を表示するように試し印刷有りに設定して（Ｓ２６０８）、Ｓ２６１０で、情報表示部３２９が図２０に示すラジオボタン７３０として、試し印刷指示ボタンと本印刷指示ボタンを表示して、本処理を終了する。
一方、Ｓ２６０７で、情報処理部３２８が試し印刷が必要な印刷商品でないと判断した場合、Ｓ２６０９で、情報表示部３２９が図２０に示すラジオボタン７３０として、本印刷指示ボタンのみを表示して、本処理を終了する。
図２６の（Ｂ）では、図２６の（Ａ）に示す処理で、表示した図２０に示す画面で、試し印刷が必要であると判断した後、図１８に示す作業指示書の出力処理に移行する。
ここで、情報処理部３２８は、図１８に一例を示す作業指示書を出力する（Ｓ２６１１）。ここで、情報処理部３２８は、試し印刷の要否を示す情報と、試し印刷が「要」の場合の理由、確認事項等を合わせて出力する。
次に、Ｓ２６１２で、情報処理部３２８は、印刷指示情報にプリントチケットがあるかどうかを判断して、プリントチケットがないと情報処理部３２８が判断した場合は、本処理を終了する。
一方、Ｓ２６１２で、プリントチケットがあると情報処理部３２８が判断した場合、プリントチケットの部数を１部に設定して、本処理を終了する。
【０１０６】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【０１０７】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【０１０８】
１  発注者環境
２  印刷受注サービスサイト
３  印刷会社
４  インターネット
【図１】
2014235678.tif 000003
【図２】
2014235678.tif 000004
【図３】
2014235678.tif 000005
【図４】
2014235678.tif 000006
【図５】
2014235678.tif 000007
【図６】
2014235678.tif 000008
【図７】
2014235678.tif 000009
【図８】
2014235678.tif 000010
【図９】
2014235678.tif 000011
【図１０】
2014235678.tif 000012
【図１１】
2014235678.tif 000013
【図１２】
2014235678.tif 000014
【図１３】
2014235678.tif 000015
【図１４】
2014235678.tif 000016
【図１５】
2014235678.tif 000017
【図１６】
2014235678.tif 000018
【図１７】
2014235678.tif 000019
【図１８】
2014235678.tif 000020
【図１９】
2014235678.tif 000021
【図２０】
2014235678.tif 000022
【図２１】
2014235678.tif 000023
【図２２】
2014235678.tif 000024
【図２３】
2014235678.tif 000025
【図２４】
2014235678.tif 000026
【図２５】
2014235678.tif 000027
【図２６】
2014235678.tif 000028